(57)【特許請求の範囲】
【請求項１】
指針と、
前記指針の周辺に配設される第１の光源と、
前記指針を背面から照明する第３の光源と、
前記指針の軸が挿通する文字板孔部を有し、前記第１の光源の光を導光する透光性の導光部、前記導光部の表面と裏面とのうちの少なくとも一方に意匠を表示する意匠表示部、前記導光部の表面と裏面とのうちの少なくとも一方に形成され、前記導光部が導光する光を拡散する光拡散部、を有し、前記意匠表示部が、前記光拡散部により拡散される光を透過して出射する第１の光透過出射部を設け、前記光拡散部が、前記第１の光透過出射部に対応して設けてなる導光文字板と、
前記導光文字板の前記文字板孔部の内壁に配設される内壁入光部に、前記第１の光源の光を入光させる導光体と、
前記第１の光源及び前記導光体と、前記第３の光源とを隔てる隔壁部と、
前記導光体の上面を覆う上壁部と、を備えること、を特徴とする指針式表示装置。
【請求項２】
前記導光体は、前記内壁入光部に略平行に対向し、前記第１の光源からの光を出射する文字板方向出射部を有し、前記導光体の高さ方向である前記文字板方向出射部の厚さは、前記内壁入光部の厚さと略同一であること、を特徴とする請求項１に記載の指針式表示装置。
【請求項３】
前記導光体は、前記指針の軸が挿通する指針軸挿通部を有し、前記文字板方向出射部は、前記内壁入光部の略全周に対向して配設されてなること、を特徴とする請求項１または請求項２に記載の指針式表示装置。
【請求項４】
第２の光源と、前記導光文字板のうち前記文字板孔部を除く領域に設けられ、前記第２の光源から出射された光を、前記導光文字板の裏面側から前記導光文字板の表面側に透過して出射する第２の光透過出射部と、をさらに備え、
前記第２の光源は、前記導光文字板の裏面側であって、前記第２の光透過出射部に対向して設けられること、を特徴とする請求項１乃至３のいずれかに記載の指針式表示装置。
【発明の詳細な説明】
【技術分野】
【０００１】
本発明は、光源から出射された光を導光文字板にて導光して意匠表示部等を照光する、自動車などに搭載される指針式表示装置に関するものである。
【背景技術】
【０００２】
従来の指針式表示装置は、例えば、特許文献１に開示されているようなものがある。このような指針式表示装置は、光源の部品数を削減するため、共通の光源により、指針と前面パネル（表示板）とを照明するものであり、反射部と第２の反射部とを有する反射体（中ケース）を、前面パネルと回路基板との間に介在させ、反射部により光源からの照明光を表示装置の外周側に反射し、この反射した照明光を、第２の反射部により前面パネル側に反射させるものである。
【０００３】
しかしながら、このような指針式表示装置は、表示板の背面からの照明が、反射部の乱反射によるものなので、表示板を均一に照明することが困難であり、さらに、表示板と回路基板との間に反射部を有する中ケースを介在させ、表示板と反射部との間に光を拡散させるための適宜空間を有するため、回路基板の部品配置や表示装置全体の構成において、設計自由度が低下する問題があった。
【０００４】
そこで、指針軸近辺に配設される光源と、この光源からの光を指針の指針軸を中心とした環状の光入射端面部から入光し、入光した光を目盛り板（表示板）の背面に導光し、表示板を背面から均一照明する導光部材と、を備える指針式表示装置が、例えば特許文献２に開示されており、光源からの光を指針軸に沿って導光し、さらにその導光した光を表示板に沿って導光させることにより、表示板背面に空間を設けることができ、回路基板などに配設する部品配置の自由度を向上させている。
【先行技術文献】
【特許文献】
【０００５】
【特許文献１】特開２００１−９９６８５号公報
【特許文献２】特開２００３−２７０００３号公報
【発明の概要】
【発明が解決しようとする課題】
【０００６】
しかしながら、特許文献２のような指針式表示装置は、表示板全体を均一に照明するものであって、表示板に設けられる意匠表示部を考慮しておらず、所定の意匠を照明する場合に、効率よく意匠を照明することができなかった。
【０００７】
そこで本発明は、前述の問題点に着目し、意匠を効率よく照明しつつ、設計自由度の高い指針式表示装置を提供することを目的とするものである。
【課題を解決するための手段】
【０００８】
本発明は、前記課題を解決するため、以下の手段を採用した。
すなわち、本発明は、光源と、指針と、
指針軸が挿通する文字板孔部を有する透光性の導光部、前記導光部の表面に形成され、意匠を表示する意匠表示部、前記意匠表示部のうち、光を出射する第１の光透過出射部、及び、前記第１の光透過出射部に対応する位置に設けられる光拡散部を有し、前記光拡散部の光拡散によって、前記第１の光透過出射部から光を出射する導光文字板と、を備えた指針式表示装置において、前記文字板孔部の内壁に配設される内壁入光部に、前記光源からの光を入光させる導光体を備えること、をその要旨とする。
【００１７】
本発明は、前述した課題を解決するため、第１の発明では、指針と、前記指針の周辺に配設される第１の光源と、前記指針を背面から照明する第３の光源と、前記指針の軸が挿通する文字板孔部を有し、前記第１の光源の光を導光する透光性の導光部、前記導光部の表面と裏面とのうちの少なくとも一方に意匠を表示する意匠表示部、前記導光部の表面と裏面とのうちの少なくとも一方に形成され、前記導光部が導光する光を拡散する光拡散部、を有し、前記意匠表示部が、前記光拡散部により拡散される光を透過して出射する第１の光透過出射部を設け、前記光拡散部が、前記第１の光透過出射部に対応して設けてなる導光文字板と、前記導光文字板の前記文字板孔部の内壁に配設される内壁入光部に、前記第１の光源の光を入光させる導光体と、前記第１の光源及び前記導光体と、前記第３の光源とを隔てる隔壁部と、前記導光体の上面を覆う上壁部と、を備えるものである。このように、第１の光源の光を、導光体で導光文字板の内壁入光部に入光させることにより、第１の光源の光が文字板孔部を中心に放射状に導光文字板の導光部内に取り込まれる。この導光部内に取り込まれた光は、導光部内を進行し、第１の光透過出射部に対応する位置に設けられた光拡散部で拡散し、第１の光透過出射部から光を出射させることで、導光文字板における余計な部分からの光の出射を防止又は抑制し、意匠表示部が表示する意匠を効率よく照明することができる。また、第１の光源の光が文字板孔部を中心に放射状に導光文字板の導光部内に取り込まれるので、文字板孔部以外の位置から光を取り込む場合と比べ、文字板孔部からの光漏れや文字板孔部による孔陰部Ｓによる導光文字板の輝度のばらつきを抑えることができる（図１５参照）。さらに、第１の光源の光は、指針軸に沿って導光され、導光体から出射された光は導光文字板に沿って導光されるので、導光文字板と回路基板との間に大きな空間を設けることができ、この導光文字板背面の空間により、回路基板の部品配置などの設計自由度を向上させることができる。さらに、指針と導光文字板の照明を独立駆動し、趣向を凝らした照明演出ができる。
【００１８】
また、第２の発明では、前記導光体は、前記内壁入光部に略平行に対向し、前記第１の光源からの光を出射する文字板方向出射部を有し、前記導光体の高さ方向である前記文字板方向出射部の厚さは、前記内壁入光部の厚さと略同一であるものであり、斯かる構成により、導光体から導光文字板内部への光の伝達の際の光漏れを抑制し、効率よく意匠を照明することができる。
【００１９】
また、第３の発明では、前記導光体は、前記指針の軸と前記隔壁部とが挿通する指針軸挿通部を有し、前記文字板方向出射部は、前記内壁入光部の略全周に対向して配設されてなるものであり、斯かる構成により、文字板方向出射部を略全方向へ設けることができ、光源の光を、文字板孔部を中心に導光文字板の略全方向に対し出射することができ、より広範囲の意匠を効率よく照明することができる。
【００２０】
また、第４の発明では、第２の光源と、前記導光文字板のうち前記文字板孔部を除く領域に設けられ、前記第２の光源から出射された光を、前記導光文字板の裏面側から前記導光文字板の表面側に透過して出射する第２の光透過出射部と、をさらに備え、前記第２の光源は、前記導光文字板の裏面側であって、前記第２の光透過出射部に対向して設けられるものであり、このように、導光文字板を照明する光源とは独立した光源を備えることにより、所定の意匠表示部を独立して点／消灯させることができる。
【発明の効果】
【００２１】
意匠を効率よく照明しつつ、設計自由度の高い指針式表示装置を提供する。
【図面の簡単な説明】
【００２２】
【図１】本発明の一実施形態における指針式表示装置の斜視図である。
【図２】上記発明の一実施形態における指針式表示装置の断面図である。
【図３】本発明の一実施形態における導光文字板の構成図である。
【図４】上記発明の一実施形態における導光文字板の表示例を表す図であり、（ａ）は、導光文字板の正面図であり、（ｂ）は、導光文字板の正面のＢ部拡大図であり、（ｃ）は、導光文字板と回路基板の断面図であり、（ｄ）は、照明された導光文字板の様子を表す図である。
【図５】上記発明の一実施形態における導光文字板の表示例であり、（ａ）は、導光文字板の正面図であり、（ｂ）は、導光文字板の正面のＣ部拡大図であり、（ｃ）は、導光文字板の断面図であり、（ｄ）は、照明された導光文字板の様子を表す図である。
【図６】上記発明の一実施形態における導光文字板の表示例であり、（ａ）は、導光文字板の正面図であり、（ｂ）は、導光文字板の正面のＤ部拡大図であり、（ｃ）は、導光文字板の断面図であり、（ｄ）は、照明された導光文字板の様子を表す図である。
【図７】本発明の一実施形態における導光体周辺の詳細図であり、図２の拡大図である。
【図８】上記発明の一実施形態における導光体を表す図であり、（ａ）は、導光体の斜視図であり、（ｂ）は、導光体の断面図であり、（ｃ）乃至（ｆ）は、文字板方向反射部の変形例を表す図である。
【図９】上記発明の一実施形態における導光体の指針軸挿通部の変形例を表す図であり、（ａ）は、指針軸挿通部を導光体の中心点からオフセットして配置した例を表す図であり、（ｂ）は、指針軸挿通部を全周に設けない例である。
【図１０】上記発明の一実施形態における導光体に光拡散部を設けた例を表す図であり、（ａ）（ｂ）は、文字板方向反射部に反射面拡散部を設けた例であり、（ｃ）（ｄ）は、文字板方向出射部に出射面拡散部を設けた例である。
【図１１】本発明の一実施形態における導光文字板の変形例を表す図である。
【図１２】本発明の一実施形態における導光文字板の変形例を表す図である。
【図１３】本発明の一実施形態における指針式表示装置の表示例を表す図であり、（ａ）は正面図であり、（ｂ）は、断面図である。
【図１４】本発明の一実施形態における指針式表示装置の第２実施形態を表す図であり、（ａ）は断面図であり、（ｂ）は詳細図である。
【図１５】導光文字板を端部から照明した際の様子を表す図である。
【発明を実施するための形態】
【００２３】
以下に、本発明の指針式表示装置１の実施形態を図を用いて説明する。図１は、本実施形態における指針式表示装置１の斜視図である。本発明の指針式表示装置１は、導光文字板１０と、導光体２０と、指針３０と、本体４０と、光源５０と、回路基板６０と、中ケース７０と、から構成され、車両側から出力される車速やエンジン回転数等の車両情報を示す車両信号に基づき、指針が回動するものであり、光源の発する光により、導光文字板と指針が光輝するものである。
【００２４】
（導光文字板）
まず、本発明の指針式表示装置１における導光文字板１０について、説明する。
導光文字板１０は、図３に示すように、透光性の導光部１１と、この導光部１１の表面に意匠を表示する意匠表示部１２と、光を拡散する光拡散部１３と、導光部１１の表面を覆う表面低屈折率部１４ａと、導光部１１の裏面を覆う裏面低屈折率部１４ｂと、を備える。
【００２５】
導光部１１は、後述する指針軸４１を挿通し、指針３０の指針キャップ３３より径の小さい貫通孔である文字板孔部１１１を有する透光性材料から形成される平板状の部材であり、ここでは、透明又は半透明の透光性（半透光性を含む）を有する平板状の合成樹脂製の部材（例えばポリカーボネート板等）である。文字板孔部１１１の内壁は、内壁入光部１１１ａを備え、内壁入光部１１１ａより光を導光部１１内に取り込む。導光部１１は、内壁入光部１１１ａから光を入光し、広い範囲に光を伝達するものである。
【００２６】
意匠表示部１２は、導光部１１の表面または裏面に、例えば、インク等を用いて、印刷、塗装等によって形成され、意匠（文字、絵、図形、記号等）を表示する表示層であり、非透光性（遮光性）の不透過部１２１と、光を透過して出射する透過部１２２と、により構成される。
不透過部１２１は、図４（ａ）において目盛り形状以外の塗りつぶされた領域であり、遮光性のインク等を用いて、印刷、塗装等によって形成され、車両用計器の意匠（文字、絵、図形、記号等を表現する意匠）の部分を切り抜いて、意匠を形成するものである。
【００２７】
透過部１２２は、図４（ｃ）に示すように、導光文字板１０内の光Ｌａを出射する第１の光透過出射部１２２ａと、導光文字板１０の背面に位置する第２の光源５２の光Ｌｃを透過し、出射する第２の光透過出射部１２２ｂと、に分類される。
第１の光透過出射部１２２ａは、導光文字板１０内の光Ｌａを後述する光拡散部１３により拡散された光を出射するものであり、第２の光透過出射部１２２ｂは、導光文字板１０の背面に位置する第２の光源５２から出射される光Ｌｃを透過するものであり、第２の光源５２から出射された光Ｌｃが拡散や反射等されずに直接出射するので、輝度の高い光を出射し、明るく光るので、ユーザの目を引くことができる。
透過部１２２は、不透過部１２１において切り抜かれた車両用計器の意匠の部分である。ここでは、透過部１２２は、抜き絵印刷等によって形成される。
また、透過部１２２は、後述の光拡散部１３で拡散された光を透過するものであれば良いので、例えば、透光性を有する白色印刷等によって形成されても良い。
【００２８】
光拡散部１３は、光拡散性を有する材料を用いて、印刷、塗装等によって導光部１１の裏面上に形成され、導光部１１が導光した光を拡散する。光拡散部１３は、第１の光透過出射部１２２ａに対応する位置に設けられ、図４のように第１の光透過出射部１２２ａの全ての部分と重なるように設けられる。
【００２９】
表面低屈折率部１４ａ及び裏面低屈折率部１４ｂは、導光部１１を挟んで、導光部１１の両面全体に亘って、その両面（適宜、光拡散部１３を含む）を覆うように設けられる。表面低屈折率部１４ａ及び裏面低屈折率部１４ｂは、透明又は半透明の透光性（半透光性を含む）を有し、導光部１１よりも光の屈折率が低い合成樹脂を用いて、印刷、塗装等によって形成される。
また、表面低屈折率部１４ａ及び裏面低屈折率部１４ｂは、透光性を有する平板状の合成樹脂製の部材（例えばアクリル板等）によって設けられても良い。
【００３０】
具体的に、表面低屈折率部１４ａ及び裏面低屈折率部１４ｂは、アクリル系樹脂（光の屈折率は約１．４９）、シリコン系樹脂（光の屈折率は約１．５）、テトラフルオロエチレンやポリテトラフルオロエチレン（ポリエチレンの一種、光の屈折率は約１．３５）等によって形成されている。なお、表面低屈折率部１４ａと裏面低屈折率部１４ｂとは、それぞれ異なる材料により形成されてもよい。
【００３１】
表面低屈折率部１４ａと導光部１１との界面、又は裏面低屈折率部１４ｂと導光部１１との界面で、導光部１１によって導光された光は全反射する。全反射は、屈折率が大きい媒質（導光部１１）から小さい媒質（低屈折率部１４ａ，１４ｂ）に光が入射しようとするときに、入射しようとする光が界面を透過せず、その全て（略全てを適宜含む。）が反射する現象をいう。全反射は、光の入射角が、隣り合う媒質（ここでは導光部１１と、表面低屈折率部１４ａ及び裏面低屈折率部１４ｂ）の各屈折率により決まる角度（臨界角）よりも大きい場合に起こる。導光部１１の側面から入射される光は、その殆どが、臨界角よりも大きい入射角で表面低屈折率部１４ａ又は裏面低屈折率部１４ｂに到達するので、導光部１１と低屈折率部１４との界面に到達した光は、全反射する。
【００３２】
このように構成された導光文字板１０の光の入射から出射までを、図２，４を用いて具体的に述べると、導光体２０の文字板方向出射部２４から出射された光Ｌａは、導光文字板１０の文字板孔部１１１の内壁入光部１１１ａに入射する。内壁入光部１１１ａに入射した光Ｌａは、導光部１１と表面低屈折率部１４ａとの界面、又は導光部１１と裏面低屈折率部１４ｂとの界面で全反射を繰り返し、導光部１１の内部を進む。導光部１１の内部を進む光の一部は、光拡散部１３に到達する。光拡散部１３に到達した光Ｌａは、その光拡散部１３で拡散される。光拡散部１３によって拡散された光Ｌａのうち、導光部１１の表面への入射角が臨界角よりも小さい光は、全反射せず、表面低屈折率部１４ａを介して意匠表示部１２の第１の光透過出射部１２２ａを透過する。これにより、意匠表示部１２は、図４に示すように、第１の光透過出射部１２２ａ（ここでは、速度計の目盛り部分）から光が出射される。これによって、不透過部１２１は暗く見え、第１の光透過出射部１２２ａは光って見える。
【００３３】
上述の具体例は、不透過部１２１の切り欠き部分の第１の光透過出射部１２２ａから光を出射することにより、意匠を光輝させて視認させるものであるが、図５に示すように、第１の光透過出射部１２２ａの領域内に、意匠の形状の不透過部１２１を配置することにより、意匠以外を光輝させることで意匠を視認させる構成としてもよい。
また、図４，５の技術を応用し、図６に示すように、光透過出射部１２２ａの内側領域に、不透過部１２１を設けることにより、趣向を凝らした意匠の表示をすることができる。
【００３４】
以上が、本実施形態に係る導光文字板１０の構成であり、導光文字板１０は、意匠表示部１２において、第１の光透過出射部１２２ａに対応して、光拡散部１３が設けられるので、光拡散部１３で拡散された光Ｌａは、第１の光透過出射部１２２ａを透過して出射する。
【００３５】
（導光体）
つづいて、図７乃至１０を用いて、導光体２０を説明する。
図７は、本発明の導光体２０周辺の拡大図であり、図２の拡大図である。図８は、導光体２０の形状の変形例を表す図であり、図９は、導光体２０の指針軸挿通部２５の変形例を表す図であり、図１０は、導光体２０の表面に光拡散部を設けた変形例を示す図である。
導光体２０は、後述する第１の光源５１を収納する収納部２１と、第１の光源５１の光Ｌを、導光文字板１０の内壁入光部１１１ａの方向へ反射する文字板方向反射部２２、指針３０の方向へ光Ｌｂを出射する指針方向出射部２３と、導光文字板１０の内壁入光部１１１ａに光Ｌａを出射する文字板方向出射部２４と、後述する指針軸４１が挿通する指針軸挿通部２５と、を備えるものであり、第１の光源５１の光Ｌを、導光文字板１０と、指針３０とに導くものである。また、本発明の実施例を示す図において、第１の光源から出射される光を光Ｌ、この光Ｌのうち、導光体２０によって導光文字板１０の方向へ導光される光を光Ｌａ、同じく導光体２０によって指針３０の方向へ導光される光を光Ｌｂと表示している。
【００３６】
収納部２１は、所望の位置に第１の光源５１を覆う（収納する）ものであり、第１の光源５１から発せられる光Ｌを逃すことなく、より多くの光を導光体２０内に取り込む。
【００３７】
文字板方向反射部２２は、図８（ｃ）に示すように、導光体２０の中心Ｏを中心とする円錐面状で形成され、収納部２１から入射した光Ｌを指針方向出射部２３の方向へ反射する。本実施例においては、文字板方向反射部２２は導光体２０の中心Ｏを中心とし、略全方向に設けられているが、光を反射させたい領域によって、適宜文字板方向反射部２２を設ける領域を限定してもよい。
また、文字板方向反射部２２は、図６（ｄ）に示すように、角錐面状（六角錐面，八角錐面等）や、図６（ｅ）に示すような曲面状や、図６（ｆ）に示すように、突起を設けてもよい。
【００３８】
指針方向出射部２３は、文字板方向反射部２２のうち、導光体２０内を導光する光Ｌの文字板方向反射部２２に入射した際の角度が、臨界角以下であり、指針３０方向へ光Ｌｂが出射される箇所である。指針方向出射部２３から指針３０方向へ出射される光Ｌｂの量は、後述する文字板方向出射部２４の形状により、適宜調節される。
【００３９】
文字板方向出射部２４は、導光文字板１０の文字板孔部１１１の内壁に設けられた内壁入光部１１１ａの面に対し、略平行に配設され、文字板方向反射部２２の反射した光Ｌａを内壁入光部１１１ａに向け、出射する箇所である。導光体２０の高さ方向である文字板方向出射部２４の厚さは、内壁入光部１１１ａの厚さと略同一となるように形成される。斯かる構成により、導光体から導光文字板への光の伝達の際の光漏れを抑制し、効率よく意匠を照明することができる。
【００４０】
指針軸挿通部２５は、後述する指針軸４１が挿通する部分であり、導光体１０の中心Ｏに貫通孔として設けられる。斯かる構成により、文字板方向出射部を略全方向へ設けることができ、光源の光を、文字板孔部を中心に導光文字板の略全方向に対し出射することができ、より広範囲の意匠を効率よく照明することができる。
また、指針軸挿通部２５は、導光体１０の中心Ｏを中心とするものではなく、図９（ａ），（ｂ）に示すように、導光体１０の中心Ｏからオフセットした位置に設けられてもいい。
また、指針軸挿通部２５は、図９（ｃ）に示すように、指針軸４１の全周を覆うものでなくてもよい。
【００４１】
また、文字板方向反射部２２は、図１０（ａ）（ｂ）に示すように、その表面にＶ字溝などで形成される反射面拡散部２２ａを設けても良い。また光拡散性を有する材料を用いて、印刷、塗装等によって文字板方向反射部２２に形成されてもよい。
また、文字板方向出射部２４は、図１０（ｃ）（ｄ）に示すように、その表面にＶ字溝などで形成される出射面拡散部２４ａを設けても良い。また光拡散性を有する材料を用いて、印刷、塗装等によって文字板方向出射部２４に形成されてもよい。
このような反射面拡散部２２ａにより、指針１０方向へ均一な光Ｌｂを出射することができる。または、出射面拡散部２４ａにより、内壁入光部１１１ａに対し、均一な光Ｌａを出射することができる。
【００４２】
指針３０は、図２に示すように、指示部３１と、指針基部３２と、指針キャップ３３とから構成されている。指示部３１は、導光文字板１０の指標を指示し、光源５０からの光Ｌｂを受けて光輝する。指針基部３２は、駆動本体４に設けられた指針軸４１に固定される。この指針基部３２は指示部２１と透明な樹脂で一体に形成されている。指針キャップ３３は、遮光性の合成樹脂からなり、指針基部３２を覆うように具備されている。
【００４３】
本体４０は、回路基板６に実装され、指針２が装着される指針軸４１を備えている。指針軸４１は、導光文字板１０の文字板孔部１１１の略中心に位置して貫通するとともに、その先端部分が導光文字板１０の表示面より上方に突出している。
【００４４】
光源５０は、回路基板６０に実装され、回路基板６０に対して垂直方向に光を照射するトップビュー型からなる。光源５０は、導光体２０に光Ｌを出射する第１の光源５１と、導光文字板１０の背面から第２の光透過出射部１２２ｂを照明する第２の光源５２とから構成される。
【００４５】
回路基板６０は、光源５０や本体４０を実装し、指針式表示装置の電気的な制御を行うものである。
【００４６】
中ケース７０は、導光文字板１０と回路基板６０の間に配設され、第１の光源５１及び導光体２０を区画する第１の仕切り部７１と、第２の光源５２を区画する第２の仕切り部７２と、を有するものである。
第１の仕切り部７１は、導光体２０に入射した第１の光源５１の光Ｌが、導光体２０の指針方向出射部２３及び文字板方向出射部２４以外の表面から出射してしまった場合、その光Ｌを第１の仕切り部７１の外部へ漏らさず、再び導光体２０方向へ反射させるものであり、第２の仕切り部７２は、第２の光源５２の光Ｌｃを第２の仕切り部７２の外部へ漏らさず、第２の光透過出射部１２２ｂ方向へ反射させるものである。このように第２の仕切り部７２を設けることにより、第１の光源５１の点灯タイミングによらず、第２の光透過出射部１２２ｂを独立して点／消灯させることができる。独立して点／消灯する第２の光透過出射部１２２ｂは、図１３に示すように、導光文字板１０に光を入光する文字板孔部１１１以外の領域であれば自由に配設することができる。
第２の光透過出射部１２２ｂ、及び第２の光源５２、第２の仕切り部７２は、文字板孔部１１１以外の領域であればよいので、第１の光透過出射部１２２ａと重なる領域に設けられても良い。
【００４７】
このように構成された指針式表示装置１は、図２に示すように、
（１）指針軸４１の周辺に配設された第１の光源５１の光Ｌは、指針軸４１が挿通する指針軸挿通部２５を有する導光体２０に入光し、導光体２０により指針軸４１と略平行方向に導光される。
（２）導光された光Ｌは、文字板方向反射部２２により光Ｌａとして指針方向出射部２３の方向へ反射される。光Ｌのうち文字板方向反射部２２に臨界角以下で入射した光は、指針方向出射部２３により指針３０方向へ光Ｌｂを出射される。
（３）指針方向出射部２３と導光文字板１０の内壁入光部１１１ａとは、略平行に配設され、それぞれの厚さが略同一になるように形成され、文字板方向反射部２２により反射された光Ｌａは、指針方向出射部２３から出射され、内壁入光部１１１ａに入射される。
（４）内壁入光部１１１ａに入射された光Ｌａは導光部１１内を全反射により進行し、第１の光透過出射部１２２ａに対応して設けられた光拡散部１３により拡散され、第１の光透過出射部１２２ａから拡散された光Ｌａが出射することにより、第１の光透過出射部１２２ａは光輝して視認される。
【００４８】
本実施形態の指針式表示装置１において、導光文字板１０を照明する第１の光源５１からの光Ｌは、指針軸４１の周辺を指針軸４１と略平行（回路基板６０に対して略垂直）に導光され、導光文字板１０を照明する光Ｌａは、導光文字板１０に沿って導光されるので、導光文字板１０に光を入光する文字板孔部１１１以外の導光文字板１０と回路基板６０との間に大きな空間を設けることができ、回路基板６０の部品や、中ケース７０等を自由に配置することができ、設計自由度を向上させることができる。
【００４９】
また、意匠表示部１２において実際に光を透過する領域として設けられた第１の光透過出射部１２２ａに対応する領域に光拡散部１３が設けられるので、光拡散部１３で拡散された光は、第１の光透過出射部１２２ａを透過して出射する。これにより、導光部１１における余計な部分から光が出射することが防止又は低減され、意匠表示部１２が表示する意匠を効率良く照光できる。特に、導光体の表面の略全面から光が出射する従来の表示部材を用いた場合よりも、第１の光透過出射部１２２ａから出射する光の輝度（光っている部分の輝度）が高くなり、意匠表示部１２が表示する意匠を効率良く照光できる。
【００５０】
また、導光体２０における文字板方向出射部２４は、導光文字板１０の文字板孔部１１１の内壁に設けられた内壁入光部１１１ａの面に対し、略平行に配設され、文字板方向出射部２４の厚さは、導光文字板１０の厚さ方向である内壁入光部１１１ａの厚さと、略同一となるように形成される。斯かる構成により、導光体から導光文字板への光の伝達の際の光漏れを抑制し、効率よく意匠を照明することができる。
【００５１】
また、導光体２０は、指針軸４１が挿通する指針軸挿通部２５を有する。斯かる構成により、文字板方向出射部を略全方向へ設けることができ、光源の光を、文字板孔部を中心に導光文字板の略全方向に対し出射することができ、より広範囲の意匠を効率よく照明することができる。
【００５２】
また、導光体２０は、第１の光源５１からの光を文字板方向出射部２４方向へ反射する文字板方向反射部２２と、指針３０方向へ光を出射する指針方向出射部２３とを有するものであり、斯かる構成により、指針と導光文字板とを照明する光源を共通化することができ、少ない光源で効率よく照明することができる。
【００５３】
以下、本実施形態の導光文字板１０の変形例について、図１１，１２を参照して説明する。
なお、上記の技術的事項や下記の変形例における技術的事項は、適宜組み合わされても良い。
【００５４】
上記実施形態では、光拡散部１３は、導光部１１の裏面に設けられているが、光拡散部１３は、第１の光透過出射部１２２ａに対応する領域に配置されていれば良く、図１１（ａ）に示すように、導光部１１の表面、又は、図１１（ｂ）に示すように、導光部１１の両面に設けられてもよい。
このような場合、光拡散部１３は、その拡散の性質が適宜変更される。例えば、光拡散部１３が導光部１１の裏面に形成されている場合には、光拡散部１３は、主に、反射、乱反射、散乱等によって、光を拡散する。また、光拡散部１３が導光部１１の表面に形成されている場合には、光拡散部１３は、主に、散乱、屈折等によって、光を拡散する。このように、光拡散部１３の拡散の性質は、拡散する光を、表裏の何れの方向（又は両方向を含む）に進ませるかによって、変更される。
【００５５】
また、光拡散部１３は、光拡散性を有する構成であれば良い。例えば、光拡散部１３は、図１１（ｃ）に示すように、導光部１１の面に直接、凹凸部等からなるドットパターン等を、マイクロドット、インプリント、エッチング等で成型したものであってもよい。また、光拡散部１３は、透光性を有する導光部１１の面に、光拡散性を有する気泡を設けたものであってもよい。これらの場合、光拡散部１３は、導光部１１と同じ材料で設けられてもよい。その他、透光性を有するガラス内に、光拡散性を有する金粉等を混入して、導光部１１と光拡散部１３とを構成しても良い。
【００５６】
また、光拡散部１３は、図１１（ｄ）のように、第１の光透過出射部１２２ａに対応する領域よりも広範囲に設けられてもよい。斯かる構成により、第１の光透過出射部１２２ａから出射する光の量を多くなり、第１の光透過出射部１２２ａが明るく表示される。
【００５７】
また、上記実施形態では、表面低屈折率部１４ａ及び裏面低屈折率部１４ｂは、導光部１１の両面全体に亘って設けられているが、図１２（ａ）に示すように、表面低屈折率部１４ａにおいて、光拡散部１３から拡散された光が通過する位置に貫通孔１４１を形成しても良い。このようにして、表面低屈折率部１４ａ及び裏面低屈折率部１４ｂは、第１の光透過出射部１２２ａに対応する位置が貫通孔になっている形状に設けられても良い。
【００５８】
また、上記実施形態では、意匠表示部１２に形成される不透過部１２１は、非透光性（遮光性）を有する層であるが、透光性（半透光性を含む）を有する層であっても良い。さらに、透光性を有する層を用いて形成される不透過部１２１は、図１２（ｂ）に示すように、第１の光透過出射部１２２ａを覆うように設けられても良い。このような場合、意匠表示部１２において、光拡散部１３で拡散された光が透過する部分が第１の光透過出射部１２２ａになる。つまり、第１の光透過出射部１２２ａは、光拡散部１３の形状等によって規定されることがある。なお、この場合において設けられる第１の光透過出射部１２２ａの範囲は、光拡散部１３で拡散された光が届き透過する範囲となるので、上記実施形態において示した遮光性を有する不透過部１２１が設けられた場合と比べて広くなる。
【００５９】
さらに、上記実施形態において、表示部材１０は、平板状のものを説明したが、図１２（ｃ）に示すように、立体的な形状に設けられても良い。例えば、表示部材１０は、圧空成型や絞り成型等で立体的な形状に加工することもできる。なお、立体状の導光部１１を用いても良く、これに意匠表示部１２、光拡散部１３、低屈折率部１４等を積層することにより、立体的な形状の表示部材１０を構成しても良い。
【００６０】
（第２実施形態）
以下、本実施形態の変形例について、図１４を参照して説明する。
本発明の第２実施形態における指針式表示装置１は、図１４に示すように、第３の光源５３と、遮光部８０と、をさらに備えるものである。
第３の光源５３は、指針３０の直下に配置されるトップビュー型からなるものであり、第３の光源５３から出射される光により指針３０は光輝する。
遮光部８０は、導光文字板１０を照明する第１の光源５１及び導光体２０と、指針３０を照明する第３の光源５３とを隔てる隔壁部８１と、導光体２０の上面を覆う上壁部８２と、を有し、遮光性の材料から形成されるものである。
斯かる構成により、導光文字板の文字板孔部の内壁入光部から光を入光することで、省スペースで、効率よく意匠表示部１２２を光輝させつつ、意匠表示部１２２の照明のタイミングと指針３０の照明タイミングをずらし、趣向を凝らした演出をすることができる。
【符号の説明】
【００６１】
１      指針式表示装置
１０      導光文字板
１１      導光部
１２      意匠表示部
１３      光拡散部
１４ａ    表面低屈折率部
１４ｂ    裏面低屈折率部
２０      導光体
２１      収納部
２２      文字板方向反射部
２２ａ    反射面拡散部
２３      指針方向出射部
２４      文字板方向出射部
２４ａ    出射面拡散部
２５      指針軸挿通部
３０      指針
３１      指示部
３２      指針基部
３３      指針キャップ
４０      本体
４１      指針軸
５０      光源
５１      第１の光源
５２      第２の光源
５３      第３の光源
６０      回路基板
７０      中ケース
８０      遮光部
８１      隔壁部
８２      上壁部
１１１      文字板孔部
１１１ａ    内壁入光部
１２１      不透過部
１２２      透過部
１２２ａ    第１の光透過出射部
１２２ｂ    第２の光透過出射部
【図１】
0005835559.tif 000002
【図２】
0005835559.tif 000003
【図３】
0005835559.tif 000004
【図４】
0005835559.tif 000005
【図５】
0005835559.tif 000006
【図６】
0005835559.tif 000007
【図７】
0005835559.tif 000008
【図８】
0005835559.tif 000009
【図９】
0005835559.tif 000010
【図１０】
0005835559.tif 000011
【図１１】
0005835559.tif 000012
【図１２】
0005835559.tif 000013
【図１３】
0005835559.tif 000014
【図１４】
0005835559.tif 000015
【図１５】
0005835559.tif 000016